(57)【要約】【課題】校正画像における複数箇所の色を効率よく確認可能な校正画像表示装置、方法及びプログラムを提供する。【解決手段】校正画像１１４が表す画像領域１１８内から指定位置１３２等を決定する。指定位置１３２等を指す指定用マーク１３４等を表示させると共に、拡大画像１４０を含むウィンドウＷ１等を指定用マーク１３４等と重ならない位置に表示させる旨を表示部５６に指示する。その際、指定用マーク１３４、１５４及びウィンドウＷ１、Ｗ２の表示を、決定された指定位置１３２、１５２毎に指示する。【選択図】図８
2015050720.tif 000002
【特許請求の範囲】
【請求項１】
複数の色版からなる校正画像を表示する表示部と、
前記校正画像が表す画像領域内から指定位置を決定する指定位置決定部と、
前記指定位置決定部により決定された前記指定位置を含む、前記校正画像の一部を拡大した画像である拡大画像を作成する拡大画像作成部と、
前記指定位置を指す指定用マークを表示させると共に、前記拡大画像作成部により作成された前記拡大画像を含むウィンドウを前記指定用マークと重ならない位置に表示させる旨を前記表示部に指示する表示指示部と
を備え、
前記指定位置決定部は、複数の前記指定位置を決定し、
前記表示指示部は、前記指定用マーク及び前記ウィンドウの表示を前記指定位置毎に指示する
ことを特徴とする校正画像表示装置。
【請求項２】
請求項１記載の装置において、
前記表示指示部は、複数の前記ウィンドウを前記画像領域と重ならない位置に表示させる旨を前記表示部に指示することを特徴とする校正画像表示装置。
【請求項３】
請求項１又は２に記載の装置において、
前記表示指示部は、特定の入力操作に応じて、前記指定用マークの位置を変更して表示させる旨を前記表示部に指示することを特徴とする校正画像表示装置。
【請求項４】
請求項３記載の装置において、
前記表示指示部は、１つの前記指定用マークの位置を変更する間に、残余の前記指定用マークを非表示にさせる旨を前記表示部に指示することを特徴とする校正画像表示装置。
【請求項５】
請求項１〜４のいずれか１項に記載の装置において、
前記表示指示部は、前記指定位置における色情報を更に含む前記ウィンドウを表示させる旨を指示することを特徴とする校正画像表示装置。
【請求項６】
複数の色版からなる校正画像を表示装置に表示させる表示ステップと、
前記校正画像が表す画像領域内から指定位置を決定する決定ステップと、
決定された前記指定位置を含む、前記校正画像の一部を拡大した画像である拡大画像を作成する作成ステップと、
前記指定位置を指す指定用マークを表示させると共に、作成された前記拡大画像を含むウィンドウを前記指定用マークと重ならない位置に表示させる旨を前記表示装置に指示する指示ステップと
をコンピュータに実行させ、
前記決定ステップでは、複数の前記指定位置を決定し、
前記指示ステップでは、前記指定用マーク及び前記ウィンドウの表示を前記指定位置毎に指示する
ことを特徴とする校正画像表示方法。
【請求項７】
複数の色版からなる校正画像を表示装置に表示させる表示ステップと、
前記校正画像が表す画像領域内から指定位置を決定する決定ステップと、
決定された前記指定位置を含む、前記校正画像の一部を拡大した画像である拡大画像を作成する作成ステップと、
前記指定位置を指す指定用マークを表示させると共に、作成された前記拡大画像を含むウィンドウを前記指定用マークと重ならない位置に表示させる旨を前記表示装置に指示する指示ステップと
をコンピュータに実行させ、
前記決定ステップでは、複数の前記指定位置を決定し、
前記指示ステップでは、前記指定用マーク及び前記ウィンドウの表示を前記指定位置毎に指示する
ことを特徴とする校正画像表示プログラム。
【発明の詳細な説明】
【技術分野】
【０００１】
この発明は、複数の色版からなる校正画像を表示する校正画像表示装置、方法及びプログラムに関する。
【背景技術】
【０００２】
従来から、印刷分野において、複数の色版（例えば、ＣＭＹＫのプロセスカラー）からなる校正画像を表示させながら特定部位の色校正を行うための技術が種々提案されている。
【０００３】
特許文献１では、プレビュー画像を表示し、該プレビュー画像に含まれる色の中から調整対象の色を抽出する手法が提案されている。その際、プレビュー画像内にて関心領域をマウスにより指定する操作を行い、当該関心領域における画像の一部を拡大して画素単位で色分け表示する旨が記載されている。
【先行技術文献】
【特許文献】
【０００４】
【特許文献１】特開２００４−２８２１５６号公報（段落［００３２］、図６等）
【発明の概要】
【発明が解決しようとする課題】
【０００５】
ところで、色校正を行う際、１箇所の色を確認するだけでなく、離れた位置に存在する複数箇所の色を同時に比較したいという要望がある。例えば、校正画像を一見すると略同色として視認されるが、実際の色成分レベルにおいてどの程度異なっているかを確認する事例が想定される。しかしながら、特許文献１で提案された手法では、このような作業形態を何ら想定しておらず、複数回にわたって１箇所ずつ色を抽出しなければならない。その結果、すべての該当箇所での確認が完了するまでに時間が掛かるという問題があった。
【０００６】
本発明は、上記した課題を解決するためになされたものであり、校正画像における複数箇所の色を効率よく確認可能な校正画像表示装置、方法及びプログラムを提供することを目的とする。
【課題を解決するための手段】
【０００７】
本発明に係る校正画像表示装置は、複数の色版からなる校正画像を表示する表示部と、上記校正画像が表す画像領域内から指定位置を決定する指定位置決定部と、上記指定位置決定部により決定された上記指定位置を含む、上記校正画像の一部を拡大した画像である拡大画像を作成する拡大画像作成部と、上記指定位置を指す指定用マークを表示させると共に、上記拡大画像作成部により作成された上記拡大画像を含むウィンドウを上記指定用マークと重ならない位置に表示させる旨を上記表示部に指示する表示指示部とを備え、上記指定位置決定部は、複数の上記指定位置を決定し、上記表示指示部は、上記指定用マーク及び上記ウィンドウの表示を上記指定位置毎に指示する。
【０００８】
このように、校正画像が表す画像領域内から指定位置を決定する指定位置決定部と、この指定位置を指す指定用マーク及びこの指定位置の拡大画像を含むウィンドウの表示を指定位置毎に指示する表示指示部を設けたので、各指定位置を拡大・強調させながら各色を比較可能であり、校正画像における複数箇所の色を効率よく確認できる。
【０００９】
また、上記表示指示部は、複数の上記ウィンドウを上記画像領域と重ならない位置に表示させる旨を上記表示部に指示することが好ましい。
【００１０】
また、上記表示指示部は、特定の入力操作に応じて、上記指定用マークの位置を変更して表示させる旨を上記表示部に指示することが好ましい。
【００１１】
また、上記表示指示部は、１つの上記指定用マークの位置を変更する間に、残余の上記指定用マークを非表示にさせる旨を上記表示部に指示することが好ましい。
【００１２】
また、上記表示指示部は、上記指定位置における色情報を更に含む上記ウィンドウを表示させる旨を指示することが好ましい。
【００１３】
本発明に係る校正画像表示方法は、複数の色版からなる校正画像を表示装置に表示させる表示ステップと、上記校正画像が表す画像領域内から指定位置を決定する決定ステップと、決定された上記指定位置を含む、上記校正画像の一部を拡大した画像である拡大画像を作成する作成ステップと、上記指定位置を指す指定用マークを表示させると共に、作成された上記拡大画像を含むウィンドウを上記指定用マークと重ならない位置に表示させる旨を上記表示装置に指示する指示ステップとをコンピュータに実行させ、上記決定ステップでは、複数の上記指定位置を決定し、上記指示ステップでは、上記指定用マーク及び上記ウィンドウの表示を上記指定位置毎に指示する。
【００１４】
本発明に係る校正画像表示プログラムは、複数の色版からなる校正画像を表示装置に表示させる表示ステップと、上記校正画像が表す画像領域内から指定位置を決定する決定ステップと、決定された上記指定位置を含む、上記校正画像の一部を拡大した画像である拡大画像を作成する作成ステップと、上記指定位置を指す指定用マークを表示させると共に、作成された上記拡大画像を含むウィンドウを上記指定用マークと重ならない位置に表示させる旨を上記表示装置に指示する指示ステップとをコンピュータに実行させ、上記決定ステップでは、複数の上記指定位置を決定し、上記指示ステップでは、上記指定用マーク及び上記ウィンドウの表示を上記指定位置毎に指示する。
【発明の効果】
【００１５】
本発明に係る校正画像表示装置、方法及びプログラムによれば、校正画像が表す画像領域内から指定位置を決定し、この指定位置を指す指定用マーク及びこの指定位置の拡大画像を含むウィンドウの表示を指定位置毎に指示するようにしたので、各指定位置を拡大・強調させながら各色を比較可能であり、校正画像における複数箇所の色を効率よく確認できる。
【図面の簡単な説明】
【００１６】
【図１】この実施形態に係る校正画像表示装置としての作業端末を組み込んだ印刷物生産システムの全体構成図である。
【図２】図１に示す作業端末の電気的なブロック図である。
【図３】図１及び図２に示す作業端末の動作説明に供されるフローチャートである。
【図４】図２に示す表示部の表示画面を示す第１の画像図である。
【図５】表示画面を示す第２の画像図である。
【図６】表示画面を示す第３の画像図である。
【図７】図７Ａ及び図７Ｂは、ウィンドウの拡大正面図である。
【図８】表示画面を示す第４の画像図である。
【図９】表示画面を示す第５の画像図である。
【図１０】表示画面を示す第６の画像図である。
【発明を実施するための形態】
【００１７】
以下、本発明に係る校正画像表示方法について、それを実施する校正画像表示装置及び校正画像表示プログラムとの関係において好適な実施形態を挙げ、添付の図面を参照しながら詳細に説明する。
【００１８】
［印刷物生産システム１０の全体構成図］
図１は、この実施形態に係る校正画像表示装置としての作業端末１８を組み込んだ印刷物生産システム１０の全体構成図である。
【００１９】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータに対して各種情報処理を実行する作業端末１８（校正画像表示装置）と、印刷処理機能を有するプリントサーバ２０と、プリントサーバ２０からの出力用データに基づいて印刷物２２を形成可能である印刷装置２４とが設けられている。
【００２０】
サーバ装置１６は、印刷物生産システム１０におけるワークフロー管理の中核をなす装置である。サーバ装置１６は、印刷物生産システム１０内に構築されたＬＡＮ（Local Area Network）２６を介して、作業端末１８及びプリントサーバ２０に通信可能に接続されている。また、サーバ装置１６は、ルータ１４及びネットワーク１２を介して、デザイナ又は制作会社が備える各端末装置（図示しない）に通信可能に接続されてもよい。
【００２１】
また、サーバ装置１６には、ワークフローに関わる各種データを記憶可能なストレージ装置２８が接続されている。ストレージ装置２８には、例えば、コンテンツデータ、出力用データ（例えば、製版用データ、刷版用データ、又は校正用データ）、ジョブチケット｛例えば、ＪＤＦ（Job Definition Format）ファイル｝、カラープロファイル、色見本データ等が記憶されている。
【００２２】
本図例では、ストレージ装置２８内には、画像情報に関するデータベース（以下、画像情報ＤＢ３０）が構築されている。画像情報ＤＢ３０は、例えば、印刷ジョブ、文書、ページ又はコンテンツを単位とする画像情報の集合体である。
【００２３】
作業端末１８は、文字、図形、絵柄、写真等から構成されるコンテンツデータに対してプリフライト処理を施した後、ページ単位のデータ（ページデータ）を作成可能な装置である。また、作業端末１８は、ジョブチケットのタグ情報を参照しながら、指定された綴じ方法や紙折り方法に応じた面付け処理を実行する。
【００２４】
プリントサーバ２０は、面付け処理がなされた製版データ等に対してＲＩＰ（Raster Image Processing）処理を施すと共に、得られた出力用データを印刷装置２４側に供給する。
【００２５】
印刷装置２４は、プリントサーバ２０から供給された出力用データに基づき、印刷媒体３２上に画像が形成された印刷物２２を出力する。印刷媒体３２の種類として、合成紙・厚紙・アルミ蒸着紙等の紙類のみならず、塩化ビニル・ＰＥＴ（ポリエチレンテレフタラート）等の樹脂、ターポリン、金属シート等が存在する。
【００２６】
印刷装置２４が校正機である場合、ＤＤＣＰ（Direct Digital Color Proofing）、インクジェットカラープルーファ、低解像度のカラーレーザプリンタ（電子写真方式）又はインクジェットプリンタ等を用いてもよい。
【００２７】
印刷装置２４が凸版印刷機である場合、刷版３４及び図示しない中間転写体を介してインキを付着させることで、印刷媒体３２上に画像が形成された印刷物２２を出力する。
【００２８】
印刷装置２４がデジタル印刷機の場合、刷版３４を生成することなく直接的に印刷物２２を出力可能である。デジタル印刷機としては、インクジェット印刷機、ワイドフォーマット印刷機、インクジェットカラープルーファ、カラーレーザプリンタ等を用いてもよい。
【００２９】
［作業端末１８の電気的なブロック図］
図２は、図１に示す作業端末１８の電気的なブロック図である。作業端末１８は、基本的には、制御部５０と、通信Ｉ／Ｆ５２と、入力部５４と、表示部５６と、メモリ５８（記憶媒体）を備えるコンピュータである。
【００３０】
通信Ｉ／Ｆ５２は、外部装置からの電気信号を送受信するインターフェースである。これにより、作業端末１８は、各種データ（例えば、校正用データ６０）をサーバ装置１６（図１）から取得可能である。
【００３１】
入力部５４は、マウス、トラックボール、キーボード、タッチセンサ等の種々の入力デバイスで構成される。例えば、入力部５４としてのタッチセンサは、表示部５６に設けられた表示画面１００（図４）上での接触位置又は近接位置を検出・入力する。検出方式として、抵抗膜方式、静電容量方式、赤外線方式、電磁誘導方式、静電結合方式等を含む種々の方式を採用してもよい。
【００３２】
表示部５６は、制御部５０から供給された表示制御信号に基づいて画像を表示する装置である。これにより、表示画面１００（図５等）上にウィンドウＷ１（図７Ａ）、Ｗ２（図７Ｂ）を含む各種画像を表示可能である。表示方式は、液晶、有機ＥＬ（electro-luminescence）、陰極線管（ＣＲＴ）のみならず、画像をスクリーンに投影するプロジェクタであってもよい。
【００３３】
メモリ５８は、制御部５０が各構成要素を制御するのに必要なプログラム及びデータ等を記憶している。本図例では、画像情報ＤＢ３０（図１）からの校正用データ６０が格納されている。
【００３４】
メモリ５８は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３５】
制御部５０は、ＣＰＵ（Central Processing Unit）等の情報処理装置（いわゆるプロセッサ）によって構成されている。制御部５０は、メモリ５８に格納されたプログラムを読み出し実行することで、校正用データ取得部６２、指定位置決定部６４、拡大画像作成部６６、表示指示部６８、及び表示用データ作成部７０を含む各機能を実現可能である。
【００３６】
［作業端末１８の動作］
この実施形態に係る校正画像表示装置としての作業端末１８は、以上のように構成される。続いて、図１に示す作業端末１８の動作について、図３のフローチャートを主に参照しながら詳細に説明する。
【００３７】
ステップＳ１において、校正用データ取得部６２は、表示に供される校正用データ６０を取得する。取得に先立ち、サーバ装置１６は、作業端末１８からの要求信号に応じて、校正用データ６０をストレージ装置２８から読み出して送出する。そして、制御部５０は、ＬＡＮ２６、通信Ｉ／Ｆ５２を介して校正用データ６０を受信した後、メモリ５８に一時的に記憶させる。そして、校正用データ取得部６２は、メモリ５８から読み出した校正用データ６０を取得する。
【００３８】
ステップＳ２において、制御部５０は、ステップＳ１で取得された校正用データ６０に基づいて、校正画像１１４（図４）を表示部５６に表示させる。表示を開始する旨の指示に応じて、表示用データ作成部７０は、表示画面１００（図４）の表示用データを作成した後、該表示用データを表示部５６に向けて出力する。これにより、表示部５６の表示画面１００上には、校正画像１１４等の各種画像が表示される。
【００３９】
図４に示すように、表示画面１００上には、校正対象の画像を表示するための画像表示欄１０２、表示対象の色版を選択するための色版選択欄１０４、複数のツールアイコンで構成されたアイコン群１０６、１０８、１１０、及び［保存］［キャンセル］と表記されたボタン群１１２が配置されている。
【００４０】
色版選択欄１０４を介した操作に応じて、少なくとも１つの画像レイヤ（本図例では、８種類の色版）を選択すると共に、これらを組み合わせた重畳表示が可能である。アイコン群１０６、１０８を介した操作に応じて、画像表示欄１０２内の任意の部位に対して、所望の注釈情報又は校正履歴等を追加可能である。
【００４１】
画像表示欄１０２内の略中央位置には、ページ単位の画像である校正画像１１４、及び、校正画像１１４のページ番号を変更自在な複数のアイコン１１６（本図例では、４つ）が配置されている。
【００４２】
校正画像１１４は、校正用データ６０を可視化した画像に相当する。校正画像１１４における画像領域１１８内には、文字、画像、図形等のコンテンツ（画像パーツ１２０、１２２を含む）がそれぞれ表示されている。なお、画像表示欄１０２のうち画像領域１１８を除いた領域を「残余領域」（本図では、２つの残余領域１２４、１２６）と称する。
【００４３】
ステップＳ３において、制御部５０は、画像領域１１８内にて指定する位置（以下、指定位置という）の追加があったか否かを判定する。具体的には、入力部５４を介した特定の入力操作を受け付けたか否かにより判定される。追加があったと判定された場合（ステップＳ３：ＹＥＳ）、次のステップ（Ｓ４）に進む。
【００４４】
例えば、図５に示すように、作業者は、指１３０を用いて、アイコン群１１０のうち追加アイコン１１０ａをタッチした後に、画像領域１１８内の１つの箇所（画像パーツ１２０の右部位）をタッチする。そうすると、指定位置決定部６４は、タッチセンサによる検出座標を指定位置１３２として決定する。
【００４５】
ステップＳ４において、拡大画像作成部６６は、ステップＳ３の判定の際に決定された指定位置１３２を含む、校正画像１１４の一部を拡大した画像（以下、拡大画像１４０）を作成する。先ず、拡大画像作成部６６は、全体の画像領域１１８から一部の領域、例えば、指定位置１３２を含む関心領域を抽出する。そして、拡大画像作成部６６は、校正画像１１４の中から当該関心領域に対応する画像部位を切り出し、画像拡大処理を施す。画像拡大処理の手法として、線形補間法等の補間演算、スプライン曲線等による近似演算を含む公知の手法を適用できる。なお、拡大画像１４０の作成に際し、拡大画像１４０における指定位置１３２の位置関係、拡大画像１４０の画像サイズについて任意に設定してもよい。
【００４６】
なお、図３のステップＳ３において、指定位置１３２の追加がなかったと判定された場合（ステップＳ３：ＮＯ）、このステップＳ４をスキップして、次のステップ（Ｓ５）に進む。
【００４７】
ステップＳ５において、制御部５０は、指定位置１３２に関連する指定用マーク１３４及びウィンドウＷ１を、表示部５６に表示させる。表示に先立ち、表示用データ作成部７０は、指定用マーク１３４及びウィンドウＷ１（拡大画像１４０を含む）の表示用データを作成し、該表示用データを表示部５６に向けて出力する。その際、表示指示部６８は、指定用マーク１３４及びウィンドウＷ１を、表示画面１００上の所定位置に表示させる旨を表示部５６に指示する。その結果、図５に示す表示画面１００は、図６の表示形態に遷移される。
【００４８】
図６に示すように、画像表示欄１０２には、ピンの形状を模擬した「１」番目の指定用マーク１３４、及び実質的に矩形状のウィンドウＷ１が新たに配置される。指定用マーク１３４は、校正画像１１４の上に重ねて配されており、画像領域１１８内の指定位置１３２を指す。
【００４９】
一方、ウィンドウＷ１は、画像領域１１８の内側ではなく、その外側にある残余領域１２４に配されている。すなわち、表示指示部６８は、ウィンドウＷ１を画像領域１１８と重ならない位置に表示させる旨を表示部５６に指示する。ウィンドウＷ１の出現により、校正画像１１４の描画内容が隠されることを防止可能であり、作業者にとって便宜である。同様に、表示指示部６８は、ウィンドウＷ１、Ｗ２が複数存在する場合、各ウィンドウＷ１、Ｗ２を画像領域１１８と重ならない位置を表示させる旨を指示してもよい。
【００５０】
図７Ａは、図６に示すウィンドウＷ１の拡大正面図である。ウィンドウＷ１内には、拡大画像１４０、色値表示欄１４２（第１の色情報）、識別マーク１４４、カラーパッチ１４６（第２の色情報）、及び、ウィンドウＷ１を最小化するための最小化アイコン１４８が設けられている。
【００５１】
拡大画像１４０は、上述した通り、指定位置１３２及びその周辺位置を示す画像に相当する。拡大画像１４０の中央には、指定位置１３２を示す照準マーク１５０が重ねて配されている。すなわち、本図例において、指定位置１３２は、拡大画像１４０の中心位置に相当する。
【００５２】
色値表示欄１４２として、指定位置１３２における校正画像１１４の色値（画素値）が表記されている。色値表示欄１４２の左側には５種類の色版名、より詳細には、「シアン（Ｃ）」、「マゼンタ（Ｍ）」、「イエロー（Ｙ）」、「ブラック（Ｋ）」及び「ライトグリーン（ＬＧ）」が表記されている。また、色値表示欄１４２の左側には、各色版の成分（単位は、網％）が表記されている。作業者は、カラーパッチ１４６を視認することで、指定位置１３２における色を定量的に把握できる。
【００５３】
識別マーク１４４は、指定用マーク１３４（図６参照）と同一の又は類似する形状を有する。作業者は、識別マーク１４４を視認することで、指定用マーク１３４とウィンドウＷ１の対応関係を観念することができる。
【００５４】
カラーパッチ１４６は、色値表示欄１４２が示す色（又はこれに相当する色）を有する均一画像である。作業者は、カラーパッチ１４６を視認することで、指定位置１３２における色を定性的に把握できる。
【００５５】
また、指定位置１３２と異なる位置（例えば、すべての色版の成分が０％である画素）を指定することで、図７Ｂに示すウィンドウＷ２が表示される。この場合、図７Ａと比べて、拡大画像１４０、色値表示欄１４２及びカラーパッチ１４６の表示内容が異なっている。
【００５６】
図３のステップＳ６において、制御部５０は、ステップＳ２にて開始された校正画像１１４の表示を終了するか否かを判定する。具体的には、ボタン群１１２のタッチ操作を受け付けたか否かにより判定される。まだ終了しないと判定された場合（ステップＳ６：ＮＯ）、ステップＳ３に戻って、以下、制御部５０はステップＳ３〜Ｓ６を順次繰り返す。
【００５７】
例えば、作業者は、図６の表示状態下に、追加アイコン１１０ａをタッチした後に、画像領域１１８内の１つの箇所（画像パーツ１２０の左外側）をタッチする。そうすると、上述のようにステップＳ３、Ｓ４を経て、図６に示す表示画面１００は、図８の表示形態に遷移される。
【００５８】
図８に示すように、画像表示欄１０２には、ピンの形状を模擬した「２」番目の指定用マーク１５４、及び、ウィンドウＷ１と同一サイズのウィンドウＷ２が新たに配置される。指定用マーク１５４は、校正画像１１４の上（例えば、指定位置１５２の周辺）に重ねて配されており、画像領域１１８内の指定位置１５２を指す。すなわち、画像領域１１８内には、２つの指定用マーク１３４、１５４、あるいはそれ以上を表示可能に構成されている。なお、ウィンドウＷ２は、ウィンドウＷ１と同様に、画像領域１１８の内側ではなく、その外側にある残余領域１２６に配されている。
【００５９】
このように、表示指示部６８は、指定用マーク１３４、１５４及びウィンドウＷ１、Ｗ２の表示を指定位置１３２、１５２毎に指示してもよい。各指定位置１３２、１５２を拡大・強調させながら各色を比較可能であり、校正画像１１４における複数箇所の色を効率よく確認できる。
【００６０】
また、アイコン群１１０のうち削除アイコン１１０ｂをタッチした後に、既に存在する指定用マーク１３４（１５４）をタッチすることで、指定用マーク１３４（１５４）及びウィンドウＷ１（Ｗ２）を消去可能である。
【００６１】
また、ウィンドウＷ１、Ｗ２のドラッグ操作に応じて、画像表示欄１０２内にてこれらの位置を変更自在である。この場合、表示指示部６８は、検出位置の連続的な変化に追従して、ウィンドウＷ１、Ｗ２の表示位置の変更を逐次指示すればよい。
【００６２】
ところで、図３のステップＳ３に戻って、制御部５０は、指定位置１３２、１５２の変更があったか否かを更に判定してもよい。具体的には、入力部５４を介した特定の入力操作（例えば、ドラッグ操作）を受け付けたか否かにより判定される。変更があったと判定された場合（ステップＳ３：ＹＥＳ）、ステップＳ４に進む。
【００６３】
図９に示すように、作業者は、指１３０を用いて、指定用マーク１５４にタッチした後に矢印Ａ方向に沿ってドラッグ操作を行う。そうすると、表示指示部６８は、検出位置の連続的な変化に追従して、指定用マーク１５４の位置を変更して表示させる旨を表示部５６に指示する。
【００６４】
表示指示部６８は、これと併せて、操作対象である１つの指定用マーク１５４の位置を変更する間に、残余の指定用マーク１３４を非表示にさせる旨を表示部５６に指示する。これにより、指定用マーク１５４の移動操作中に他の指定用マーク１３４と干渉することで発生する、予期しない誤操作を予防できる。
【００６５】
画像パーツ１２２内の位置で表示画面１００から指１３０を離した場合、拡大画像作成部６６は、現在の指定位置１５２を含む拡大画像１４０を作成する。そして、表示指示部６８は、非表示であった指定用マーク１３４の表示を再開すると共に、指定用マーク１５４及びウィンドウＷ２の表示位置を指示する。その結果、図９に示す表示画面１００は、図１０の表示形態に遷移される。
【００６６】
図１０に示すように、画像表示欄１０２には、新たな指定位置１５２を指す指定用マーク１５４、及び、新たな指定位置１５２における拡大画像１４０等を含むウィンドウＷ２が配置される。
【００６７】
図３のステップＳ６に戻って、ステップＳ２にて開始された校正画像１１４の表示を終了すると判定された場合（ステップＳ６：ＹＥＳ）、作業端末１８は、校正画像１１４を表示する動作を終了する。例えば、ボタン群１１２のうち［保存］のクリックに応じて、注釈情報又は校正履歴等を示す各種データが保存される。一方、［キャンセル］のクリックに応じて、上記した各種データが保存されずに終了する。
【００６８】
［この実施形態の効果］
以上のように、校正画像表示装置としての作業端末１８は、複数の色版からなる校正画像１１４を表示する表示部５６と、校正画像１１４が表す画像領域１１８内から指定位置１３２等を決定する指定位置決定部６４と、指定位置１３２等を含む、校正画像１１４の一部を拡大した画像である拡大画像１４０を作成する拡大画像作成部６６と、指定位置１３２等を指す指定用マーク１３４等を表示させると共に、拡大画像１４０を含むウィンドウＷ１等を指定用マーク１３４等と重ならない位置に表示させる旨を表示部５６に指示する表示指示部６８を備える。
【００６９】
そして、指定位置決定部６４は複数の指定位置１３２、１５２を決定し、表示指示部６８は、指定用マーク１３４、１５４及びウィンドウＷ１、Ｗ２の表示を指定位置１３２、１５２毎に指示するようにしたので、各指定位置１３２、１５２を拡大・強調させながら各色を比較可能であり、校正画像１１４における複数箇所の色を効率よく確認できる。
【００７０】
特に、校正画像１１４を一見すると略同色として視認されるが、実際の色成分レベルにおいてどの程度異なっているかを定量的に確認したい場合、作業者にとって便宜である。
【００７１】
［補足］
なお、この発明は、上述した実施形態に限定されるものではなく、この発明の主旨を逸脱しない範囲で自由に変更できることは勿論である。
【００７２】
例えば、指定用マーク１３４、１５４の形状は図８例（ピンの形状）に限られず、指定位置１３２、１５２を特定・観念させる形状であれば種類は問わない。
【符号の説明】
【００７３】
１０…印刷物生産システム                  １６…サーバ装置
１８…作業端末                            ２２…印刷物
２４…印刷装置                            ３０…画像情報ＤＢ
５０…制御部                              ５４…入力部
５６…表示部                              ５８…メモリ
６０…校正用データ                        ６２…校正用データ取得部
６４…指定位置決定部                      ６６…拡大画像作成部
６８…表示指示部                          ７０…表示用データ作成部
１００…表示画面                          １０２…画像表示欄
１１４…校正画像                          １１８…画像領域
１２４、１２６…残余領域                  １３２、１５２…指定位置
１３４、１５４…指定用マーク              １４０…拡大画像
１４２…色値表示欄                        １４６…カラーパッチ
Ｗ１、Ｗ２…ウィンドウ
【図１】
2015050720.tif 000003
【図２】
2015050720.tif 000004
【図３】
2015050720.tif 000005
【図４】
2015050720.tif 000006
【図５】
2015050720.tif 000007
【図６】
2015050720.tif 000008
【図７】
2015050720.tif 000009
【図８】
2015050720.tif 000010
【図９】
2015050720.tif 000011
【図１０】
2015050720.tif 000012